(57)【要約】【課題】低コストかつ省設置スペースにて画像の輝度を忠実に実現することができる。【解決手段】プロジェクタ１から投射された画像を反射することにより表示するスクリーン２上に、プロジェクタ１以外の別光源３からの光を重畳させる。これにより、プロジェクタ投射画面には画像全データを表示し、別光源３からの光情報は光輝度部分のみを表示することで、実際の照明光源の発光輝度（高輝度）を表示できる。このため、輝度を忠実に表現してＣＧシミュレーション評価実験を行うことができ、現実に近い、より精密な視環境、視認性の検討が可能となる。また、スクリーン２を短冊状に分割してルーバ状に形成し、別光源３をスクリーン２の背面に設置し、このスクリーン背面から光を照射することで、プロジェクタの使用台数を減らして高輝度表示ができ、低コスト化を期待できる。【選択図】　　　　図１
2004077865.tif 000002
【特許請求の範囲】
【請求項１】
プロジェクタから投射された画像を反射することにより表示するスクリーン上に、前記プロジェクタ以外の別光源からの光を重畳させることを特徴とする画像表示システム。
【請求項２】
スクリーンを短冊状に分割してルーバ状に形成し、別光源を前記スクリーンの背面に設置し、このスクリーン背面から光を照射する請求項１記載の画像表示システム。
【請求項３】
別光源にＬＥＤ、レーザ光のような微小光源を用いた請求項２記載の画像表示システム。
【請求項４】
別光源にスポット光のような絞り込んだ光源を用いた請求項２記載の画像表示システム。
【請求項５】
プロジェクタとスクリーンとのなす角がある条件で設定された請求項２記載の画像表示システム。
【請求項６】
スクリーンは一部透過、一部反射する素材で構成された請求項１記載の画像表示システム。
【請求項７】
別光源にＬＥＤ、スポット光、レーザ光などを用いた請求項６記載の画像表示システム。
【請求項８】
別光源をモジュール化した請求項２，３，４，５，６または７記載の画像表示システム。
【請求項９】
モジュール化した別光源からの光を高速スキャンすることで画像を表示する請求項８記載の画像表示システム。
【請求項１０】
スクリーンに対してプロジェクタと同方向に別光源を設置した請求項１記載の画像表示システム。
【請求項１１】
スクリーン上の高輝度箇所である所定位置を検知し、この所定位置に別光源からの光を投射する請求項１記載の画像表示システム。
【発明の詳細な説明】
【０００１】
【発明の属する技術分野】
この発明は、プロジェクタを用いてスクリーンに画像を投射する画像表示システムに関するものである。
【０００２】
【従来の技術】
従来の画像表示システムとして、プロジェクタを用いてＣＧ画像またはビデオ画像を表示するものがあった。また、プロジェクタ１台では実現できないスクリーン上での高輝度画像表示を、スクリーンの表側または裏側に複数のプロジェクタを設置し投射画像を重畳させることにより実現していた。
【０００３】
【発明が解決しようとする課題】
しかしながら、光源から発光するような高輝度を従来のＣＧ画像またはビデオ画像を表示するプロジェクタを用いてスクリーン上で表示させることは非常に困難である。現状では複数のプロジェクタを用いて投射画像を重畳して高輝度表示を実現するシステムがあるが、本システムは非常にコストがかかり、また広い設置スペースを必要とする。
【０００４】
したがって、この発明の目的は、低コストかつ省設置スペースにて画像の輝度を忠実に実現することができる画像表示システムを提供することである。
【０００５】
【課題を解決するための手段】
上記課題を解決するためにこの発明の請求項１記載の画像表示システムは、プロジェクタから投射された画像を反射することにより表示するスクリーン上に、前記プロジェクタ以外の別光源からの光を重畳させる。
【０００６】
このように、プロジェクタから投射された画像を反射することにより表示するスクリーン上に、プロジェクタ以外の別光源からの光を重畳させるので、プロジェクタ投射画面には画像全データを表示し、別光源からの光情報は光輝度部分のみを表示することで、実際の照明光源の発光輝度（高輝度）を表示できる。このため、輝度を忠実に表現してＣＧシミュレーション評価実験を行うことができ、現実に近い、より精密な視環境、視認性の検討が可能となる。
【０００７】
請求項２記載の画像表示システムは、請求項１記載の画像表示システムにおいて、スクリーンを短冊状に分割してルーバ状に形成し、別光源を前記スクリーンの背面に設置し、このスクリーン背面から光を照射する。このように、スクリーンを短冊状に分割してルーバ状に形成し、別光源をスクリーンの背面に設置し、このスクリーン背面から光を照射するので、プロジェクタの使用台数を減らして高輝度表示ができ、低コスト化、省設置スペース化を期待できる。
【０００８】
請求項３記載の画像表示システムは、請求項２記載の画像表示システムにおいて、別光源にＬＥＤ、レーザ光のような微小光源を用いた。このように、別光源にＬＥＤ、レーザ光のような微小光源を用いたので、プロジェクタからスクリーン上へ投射する画像の高輝度箇所に別光源の光を重畳させることができる。
【０００９】
請求項４記載の画像表示システムは、請求項２記載の画像表示システムにおいて、別光源にスポット光のような絞り込んだ光源を用いた。このように、別光源にスポット光のような絞り込んだ光源を用いたので、プロジェクタからスクリーン上へ投射する画像の高輝度箇所に別光源の光を重畳させることができる。
【００１０】
請求項５記載の画像表示システムは、請求項２記載の画像表示システムにおいて、プロジェクタとスクリーンとのなす角がある条件で設定された。このように、プロジェクタとスクリーンとのなす角がある条件で設定されたので、プロジェクタからスクリーンに投射した光の大部分が視線方向に反射することにより、従来のプロジェクタを用いて、見かけのスクリーン輝度を増加させることができる。
【００１１】
請求項６記載の画像表示システムは、請求項１記載の画像表示システムにおいて、スクリーンは一部透過、一部反射する素材で構成された。このように、スクリーンは一部透過、一部反射する素材で構成されたので、スクリーン裏側に設置した別光源の光がスクリーン表側へ透過するようになり、高輝度画像表示が可能となる。
【００１２】
請求項７記載の画像表示システムは、請求項６記載の画像表示システムにおいて、別光源にＬＥＤ、スポット光、レーザ光などを用いた。このように、別光源にＬＥＤ、スポット光、レーザ光などを用いたので、プロジェクタからスクリーン上へ投射する画像の高輝度箇所に別光源の光を重畳させることができる。
【００１３】
請求項８記載の画像表示システムは、請求項２，３，４，５，６または７記載の画像表示システムにおいて、別光源をモジュール化した。このように、別光源をモジュール化したので、その設置箇所を変更することにより、必要箇所のみを高輝度表示することができる。このため、スクリーン裏側の全画面に別光源を敷き詰める場合に比較して、少ない光源にて高輝度表示システムが構築でき、省コスト化が図れる。
【００１４】
請求項９記載の画像表示システムは、請求項８記載の画像表示システムにおいて、モジュール化した別光源からの光を高速スキャンすることで画像を表示する。このように、モジュール化した別光源からの光を高速スキャンすることで画像を表示するので、あたかも所定位置が高輝度で発光しているようにすることができ、少ない光源にて高輝度表示システムを実現でき、省コスト化が図れる。
【００１５】
請求項１０記載の画像表示システムは、請求項１記載の画像表示システムにおいて、スクリーンに対してプロジェクタと同方向に別光源を設置した。このように、スクリーンに対してプロジェクタと同方向に別光源を設置したので、プロジェクタから投射する画像と別光源からの光情報との同期をとり、両者を重畳させることで、画像の輝度を忠実に表現できる。
【００１６】
請求項１１記載の画像表示システムは、請求項１記載の画像表示システムにおいて、スクリーン上の高輝度箇所である所定位置を検知し、この所定位置に別光源からの光を投射する。このように、スクリーン上の高輝度箇所である所定位置を検知し、この所定位置に別光源からの光を投射するので、プロジェクタでは実現できない高輝度画像の座標位置に、別光源からの光を重畳させることで、複雑な制御を行うことなしに画像の輝度を忠実に実現できる。
【００１７】
【発明の実施の形態】
この発明の第１の実施の形態を図１ないし図５に基づいて説明する。図１はこの発明の第１の実施の形態の画像表示システムの概念図、図２は第１の実施の形態におけるスクリーンの構成を示す概念図、図３はその要部拡大図である。
【００１８】
図１に示すように、プロジェクタ１から投射された画像を反射することにより表示するスクリーン２上に、プロジェクタ１以外の別光源３からの光を重畳させる。
【００１９】
プロジェクタ１はＣＧ画像またはビデオ画像を表示する。また、図２および図３に示すように、スクリーン２を短冊状に分割してルーバ状に形成し、別光源３をスクリーン２の背面に設置することで、このスクリーン背面から光を照射する。別光源３にはＬＥＤ、レーザ光のような微小光源を用い、スクリーン２を構成する複数のルーバ２ａ間に配置される。この場合、鉛直方向に沿ったルーバ２ａの間隔ｔ１＝約１０ｍｍ、ルーバ２ａの傾斜による表裏方向の奥行きｔ２＝約１０ｍｍである。また、別光源３はＲＧＢからなり、その径ｄ＝５ｍｍである。この別光源３からの光Ｃは、スクリーン２からの反射光および直接光からなる。Ａはスクリーン表側、Ｂはスクリーン裏側を示す。また、短冊状のスクリーンの長手方向は水平面（地面）に対して、水平方向としたが、垂直方向としてもよい。別光源３はスクリーン２の表側からは見えないように設置する。
【００２０】
次に上記画像表示システムの作用について説明する。図１に示すように、ＣＧ画像の作成とＣＧ画像と同期した光情報信号（輝度値、色、表示位置）の作成をパソコン４で行い、プロジェクタ１から投射するＣＧ画像と別光源３からの光情報との同期をとり、両者を重畳させる。この際、図４（ａ）に示すようにプロジェクタ１投射画面には画像全データを表示し、（ｂ）に示すように別光源３からの光情報は高輝度部分５のみを表示する。
【００２１】
画像表示システムの画像表示位置合わせに関しては、上記のようにスクリーン裏側に多くの微小な別光源（ＬＥＤなど）３を敷き詰めてドット上に形成させ、パソコン４制御によりプロジェクタ１からスクリーン２上へ投射する画像の座標位置と別光源３の座標位置を重ね合わせることにより、プロジェクタ１からスクリーン２上へ投射する画像の高輝度箇所５に別光源３の光を重畳させて、プロジェクタ１では実現できない高輝度表示を行う。
【００２２】
すなわち、図５の画像表示位置合わせのフローチャートに示すように、プロジェクタ１から投射する画像（ａ）（図４（ａ）の画像）のうち、高輝度箇所のみの画像（ｂ）（図４（ｂ）の画像）をパソコン４により作成する。次にプロジェクタ１から投射する座標位置と別光源３から投射する画像位置を一致させる。次にプロジェクタ１で画像（ａ）を、別光源３で画像（ｂ）をスクリーン２に投射し光を重畳させる。これにより複雑な制御することなしに容易に画像表示システムが実現できる。
【００２３】
以上のようにこの実施の形態によれば、実際の照明光源の発光輝度（高輝度）を表示できるため、輝度を忠実に表現してＣＧシミュレーション評価実験を行うことができ、現実に近い、より精密な視環境、視認性の検討が可能となる。また、プロジェクタの使用台数を減らして高輝度表示ができ、低コスト化、省設置スペース化を期待できる。
【００２４】
また、プロジェクタがビデオ画像を表示する場合、高輝度表示ができるため、映画などに用いた場合、映像の迫力が増す。
【００２５】
なお、別光源にスポット光のような絞り込んだ光源を用いてもよい。
【００２６】
この発明の第２の実施の形態を図６および図７に基づいて説明する。図６はこの発明の第２の実施の形態の画像表示システムのスクリーンとプロジェクタの位置構成を示す概念図である。
【００２７】
この実施の形態では、第１の実施の形態において、プロジェクタ１とスクリーン２とのなす角がある条件で設定されている。
【００２８】
図６に示すように、短冊状スクリーン２と視線方向Ｄとのなす角で鋭角の方をαとし、スクリーン２の表側の法線方向とプロジェクタ１の照射方向Ｅとのなす角で視線よりも上部方向の角度を９０°−αとなるように設定する。スクリーン２を構成する複数のルーバ２ａ間には第１の実施の形態と同様にして別光源３が配置される。６は最下面である。
【００２９】
この実施の形態によれば、上記のように設置することで、プロジェクタ１からスクリーン２に投射した光の大部分が視線方向に反射するため、従来のプロジェクタを用いて、見かけのスクリーン輝度を増加することができる。
【００３０】
図７はこの発明の第２の実施の形態の変形例の画像表示システムのスクリーンとプロジェクタの位置構成を示す概念図である。図７に示すように、図６の構成に加え、プロジェクタ１とスクリーン２を図６の最下面を軸面７として面対称となるように配置して、プロジェクタ１を２台で構成する。スクリーン２の高さは変更可能であるが、軸面７が中央に位置するようにする。
【００３１】
この変形例によれば、図６と図７のスクリーンを同じ高さにした場合、図６に比較して略２倍の輝度が表示可能となる。
【００３２】
また、図７の上方向、下方向に上記変形例と同様な考え方にてプロジェクタを２台以上で構成することもできる。これにより、図７においてスクリーンを同じ高さにした場合、図６に比較して略２倍以上の輝度が表示可能となる。
【００３３】
この発明の第３の実施の形態を図８および図９に基づいて説明する。図８はこの発明の第３の実施の形態の画像表示システムのスクリーンを示す概念図である。
【００３４】
図８に示すように、第１の実施の形態と同様にプロジェクタ１から投射された画像を反射することにより表示するスクリーン１０上に、プロジェクタ１以外の別光源３からの光を重畳させる構成において、スクリーン１０は一部透過、一部反射する素材で構成されている。すなわち、スクリーン表側Ａの表面が反射性の高いメッシュ素材のスクリーンで構成されている。また、別光源３には第１の実施の形態と同様にＬＥＤ、スポット光（絞り込んだ光源）、レーザ光などを用いており、スクリーン１０の裏側に配置される。
【００３５】
従来のスクリーンではスクリーン裏側から表側方向に光が透過しないが、本構成ではスクリーン裏側Ｂに設置した別光源３の光がスクリーン表側Ａへ透過するようになるので、高輝度画像表示が可能となる。
【００３６】
また、反射率ｘ％の素材でスクリーン１０が構成されている場合、プロジェクタ１からの光のｘ％と別光源３からの光の（１００−ｘ）％がスクリーン１０上に表示可能となる。ｘ＝９０程度に設定した場合、道路・トンネルのような道路・トンネル灯の照明器具の発光輝度と比較して道路・トンネルの路面・壁面のＣＧ画像の輝度が非常に小さい場合のシミュレーションが実現可能となる。図９に示す道路のＣＧ画像において、１１は道路・トンネル灯の照明器具を示す高輝度箇所、１２は道路・トンネルの路面・壁面を示す低輝度箇所である。
【００３７】
一般的な大画面表示用プロジェクタは最大で略３０ｃｄ／ｍ２の輝度表示が可能であり、別光源にＬＥＤを用いた場合には１素子で４００００ｃｄ／ｍ２以上の輝度が発光可能である。ｘ＝９０程度に設定した場合、プロジェクタからは最大２７ｃｄ／ｍ２の輝度表示が可能となり、別光源（ＬＥＤ）からは４０００ｃｄ／ｍ２以上の輝度が表示可能となる。道路・トンネルのＣＧ画像の輝度は０〜２５ｃｄ／ｍ２程度、照明器具の発光輝度は１０００ｃｄ／ｍ２以上なので、容易に対応可能である。
【００３８】
この発明の第４の実施の形態を図１０に基づいて説明する。図１０はこの発明の第４の実施の形態の画像表示システムの概念図である。
【００３９】
第１〜３の実施の形態の画像表示システムを構築する際、忠実に画像表示を行うにはスクリーン裏側全面に別光源を敷き詰める必要があるが、別光源の台数が非常に多いため非常にコストがかかる。実際にはスクリーン全面を高輝度表示することは稀である。
【００４０】
そこで、図１０に示すように、別光源３をモジュール化し（光源モジュール１３）、場合に応じて設置箇所を変更することにより、必要箇所のみを高輝度表示することで別光源３の設置台数を減らして低コストで実現する。この場合、パソコン４を用いてプロジェクタ１から投射する画像と光源モジュール１３からの光との同期をとり、光源モジュール１３は任意箇所に自由自在に配置できるようにした。
【００４１】
高輝度表示を必要とるのは、画面上でごく限られた範囲であることが多いので、スクリーン裏側Ｂの全画面に別光源を敷き詰めるのではなく、別光源３をモジュール化して使用個数を減らすことで高輝度表示を実現する。光源モジュール１３は任意箇所に自由自在に配置できるようにし、光源モジュール１３のスクリーン１０への出力箇所とプロジェクタ１から投射するスクリーン画像の位置情報はパソコン４で同期とり連動させる。
【００４２】
この実施の形態によれば、少ない光源にて高輝度表示システムが構築できるため、上記実施の形態と比較して省コスト化が図れる。なお、スクリーンは第３の実施の形態の場合を示したが、第１および２の実施の形態の短冊状スクリーンを使用してもよい。
【００４３】
この発明の第５の実施の形態を図１１に基づいて説明する。図１１はこの発明の第５の実施の形態の画像表示システムの光源モジュールの概念図である。
【００４４】
この実施の形態では、第４の実施の形態と同様に別光源３をモジュール化（光源モジュール１３）しているが、光源モジュール１３からの光を高速スキャンすることで、あたかも設定箇所が高輝度で発光しているように見させて、別光源３の設置台数を減らして低コスト化を図る。
【００４５】
その具体的な構成として、図１１に示すように、光源モジュール１３をスクリーン１０の中央付近のスクリーン裏側縦方向に設置し、光源モジュール１３をスクリーン横方向に走査できるようにした。この際、光源モジュール１３の設置箇所は固定され、かつ鉛直軸周りに回動することで走査可能としている。スクリーン形状は第４の実施の形態と同様に短冊状および一部透過、一部反射の素材のどちらでも実現可能である。その他の構成は第４の実施の形態と同様である。
【００４６】
この実施の形態によれば、高速走査することで、あたかも所定位置が高輝度で発光しているようにすることができ（ＣＲＴのブラウン管の発光方式と同様な原理）、少ない光源にて高輝度表示システムを実現できるため、省コスト化が図れる。
【００４７】
この発明の第６の実施の形態を図１２および図１３に基づいて説明する。図１２はこの発明の第６の実施の形態の画像表示システムの概念図である。
【００４８】
図１２に示すように、第１の実施の形態と同様にプロジェクタ１から投射された画像を反射することにより表示するスクリーン２上に、プロジェクタ１以外の別光源からの光を重畳させる構成において、スクリーン２に対してプロジェクタ１と同方向に別光源を設置した。別光源は輝度補正装置１４に組み込まれており、ＬＥＤ、スポット光（絞り込んだ光源）、レーザ光などを投射する。
【００４９】
図１３はこの発明の第６の実施の形態における輝度補正装置の概略図である。図１３に示すように、輝度補正装置１４は、輝度補正に使用する別光源にレーザ光（ＲＧＢの３色）を用い、パソコンからの輝度信号をもとにして特定の色を透過・反射する赤色通過・緑色反射ミラー１５と赤色緑色透過・青色反射ミラー１６を設けて所定の輝度や色を作成し、ＸＹＺスキャンミラー１７を設けてスクリーン２上の所定位置にレーザ光を投射できるようにする。同図において、１８は赤色レーザ、１９は緑色レーザ、２０は青色レーザ、２１は電気式調光フィルタである。また、スクリーン２は、第１または第２の実施の形態と同様の短冊状の他、第３の実施の形態と同様の一部透過・一部反射の素材を用いても実現可能である。
【００５０】
この画像表示システムの作用については、ＣＧ画像の作成と同期した光情報信号（輝度値、色、表示位置）の作成をパソコン４で行い、プロジェクタ１から投射するＣＧ画像と別光源からの光情報との同期をとり、輝度補正装置１４にて両者を重畳させる。
【００５１】
この実施の形態によれば、画像の輝度を忠実に表現できる。また、複数のプロジェクタを用いた場合と比較して省スペースで実現できる。
【００５２】
この発明の第７の実施の形態を図１４および図１５に基づいて説明する。図１４はこの発明の第７の実施の形態の画像表示システムの概念図である。
【００５３】
図１４に示すように、第１の実施の形態と同様にプロジェクタ１から投射された画像を反射することにより表示するスクリーン２上に、プロジェクタ１以外の別光源３からの光を重畳させる構成において、スクリーン２上の高輝度箇所である所定位置５をセンサ等を用いて検知し、この所定位置５に別光源３からの光を投射し、目標輝度で発光させる。すなわち、スクリーン２上の各々の位置の輝度を検知できる輝度センサ（図示せず）を設け、パソコン４により所定位置５の輝度を検知して別光源３からの光と重畳させることにより、実際の輝度を忠実に表示できるようにした。また、スクリーン２は、第１または第２の実施の形態と同様の短冊状の他、第３の実施の形態と同様の一部透過・一部反射の素材を用いても実現可能である。
【００５４】
図１５はこの発明の第７の実施の形態におけるフィードバック制御方式の画像表システムのフローチャートである。図１５に示すように、プロジェクタ１からスクリーン２上へ画像を投射する。次にプロジェクタ１では実現できない高輝度画像の座標位置を輝度センサで検知する。次に高輝度画像の座標位置に、パソコン制御により別光源３からの光を重畳させて忠実に輝度を表現した高輝度画像を表示する。
【００５５】
この実施の形態によれば、複雑な制御を行うことなしに画像の輝度を忠実に表現できる。
【００５６】
【発明の効果】
この発明の請求項１記載の画像表示システムによれば、プロジェクタから投射された画像を反射することにより表示するスクリーン上に、プロジェクタ以外の別光源からの光を重畳させるので、プロジェクタ投射画面には画像全データを表示し、別光源からの光情報は光輝度部分のみを表示することで、実際の照明光源の発光輝度（高輝度）を表示できる。このため、輝度を忠実に表現してＣＧシミュレーション評価実験を行うことができ、現実に近い、より精密な視環境、視認性の検討が可能となる。
【００５７】
請求項２では、スクリーンを短冊状に分割してルーバ状に形成し、別光源をスクリーンの背面に設置し、このスクリーン背面から光を照射するので、プロジェクタの使用台数を減らして高輝度表示ができ、低コスト化、省設置スペース化を期待できる。
【００５８】
請求項３では、別光源にＬＥＤ、レーザ光のような微小光源を用いたので、プロジェクタからスクリーン上へ投射する画像の高輝度箇所に別光源の光を重畳させることができる。
【００５９】
請求項４では、別光源にスポット光のような絞り込んだ光源を用いたので、プロジェクタからスクリーン上へ投射する画像の高輝度箇所に別光源の光を重畳させることができる。
【００６０】
請求項５では、プロジェクタとスクリーンとのなす角がある条件で設定されたので、プロジェクタからスクリーンに投射した光の大部分が視線方向に反射することにより、従来のプロジェクタを用いて、見かけのスクリーン輝度を増加させることができる。
【００６１】
請求項６では、スクリーンは一部透過、一部反射する素材で構成されたので、スクリーン裏側に設置した別光源の光がスクリーン表側へ透過するようになり、高輝度画像表示が可能となる。
【００６２】
請求項７では、別光源にＬＥＤ、スポット光、レーザ光などを用いたので、プロジェクタからスクリーン上へ投射する画像の高輝度箇所に別光源の光を重畳させることができる。
【００６３】
請求項８では、別光源をモジュール化したので、その設置箇所を変更することにより、必要箇所のみを高輝度表示することができる。このため、スクリーン裏側の全画面に別光源を敷き詰める場合に比較して、少ない光源にて高輝度表示システムが構築でき、省コスト化が図れる。
【００６４】
請求項９では、モジュール化した別光源からの光を高速スキャンすることで画像を表示するので、あたかも所定位置が高輝度で発光しているようにすることができ、少ない光源にて高輝度表示システムを実現でき、省コスト化が図れる。
【００６５】
請求項１０では、スクリーンに対してプロジェクタと同方向に別光源を設置したので、プロジェクタから投射する画像と別光源からの光情報との同期をとり、両者を重畳させることで、画像の輝度を忠実に表現できる。
【００６６】
請求項１１では、スクリーン上の高輝度箇所である所定位置を検知し、この所定位置に別光源からの光を投射するので、プロジェクタでは実現できない高輝度画像の座標位置に、別光源からの光を重畳させることで、複雑な制御を行うことなしに画像の輝度を忠実に実現できる。
【図面の簡単な説明】
【図１】この発明の第１の実施の形態の画像表示システムの概念図である。
【図２】第１の実施の形態におけるスクリーンの構成を示す概念図である。
【図３】図２の要部拡大図である。
【図４】この発明の第１の実施の形態における画像の重畳方法の説明図である。
【図５】この発明の第１の実施の形態の画像表示システムのフローチャートである。
【図６】この発明の第２の実施の形態の画像表示システムのスクリーンとプロジェクタの位置構成を示す概念図である。
【図７】この発明の第２の実施の形態の変形例の画像表示システムのスクリーンとプロジェクタの位置構成を示す概念図である。
【図８】この発明の第３の実施の形態の画像表示システムのスクリーンを示す概念図である。
【図９】この発明の第３の実施の形態における道路のＣＧ画像を示す説明図である。
【図１０】この発明の第４の実施の形態の画像表示システムの概念図である。
【図１１】この発明の第５の実施の形態の画像表示システムの光源モジュールの概念図である。
【図１２】この発明の第６の実施の形態の画像表示システムの概念図である。
【図１３】この発明の第６の実施の形態における輝度補正装置の概略図である。
【図１４】この発明の第７の実施の形態の画像表示システムの概念図である。
【図１５】この発明の第７の実施の形態におけるフィードバック制御方式の画像表システムのフローチャートである。
【符号の説明】
１　プロジェクタ
２，１０　スクリーン
３　別光源
１３　光源モジュール
１４　輝度補正装置
【図１】
2004077865.tif 000003
【図２】
2004077865.tif 000004
【図３】
2004077865.tif 000005
【図４】
2004077865.tif 000006
【図５】
2004077865.tif 000007
【図６】
2004077865.tif 000008
【図７】
2004077865.tif 000009
【図８】
2004077865.tif 000010
【図９】
2004077865.tif 000011
【図１０】
2004077865.tif 000012
【図１１】
2004077865.tif 000013
【図１２】
2004077865.tif 000014
【図１３】
2004077865.tif 000015
【図１４】
2004077865.tif 000016
【図１５】
2004077865.tif 000017